(57)【要約】【課題】足部安定装置を提供する。【解決手段】  本発明は、足部安定装置であり、靴パッド本体又は靴底本体であることができ、且つ靴パッド本体又は靴底本体の足部接触面に前端から後端へ順につま先対応部、足裏対応部、足アーチ対応部及び踵対応部を有し、それぞれ使用者足部のつま先、足裏、足アーチ及び踵と対応する。本発明の特徴は、つま先対応部の後端中央箇所から足裏対応部の中間箇所まで縦向きに受力減少構造を形成し、使用者の足部の受力減少構造箇所の接触力量を減少し、且つ足部を安定させ、足部の前又は左右に滑動を回避することができる。【選択図】図１
2017131656.tif 000002
【特許請求の範囲】
【請求項１】
靴パッド本体であり、該靴パッド本体は、靴パッド前端から靴パッド後端まで順につま先対応部、足裏対応部、足アーチ対応部及び踵対応部を有する足部安定装置であって、該靴パッド本体が該受力減少構造を有し、且つ該受力減少構造は、該つま先対応部の後端中央箇所から縦方向に該足裏対応部の中間箇所まで延伸することを特徴とする足部安定装置。
【請求項２】
前記受力減少構造の幅は、該靴パッド本体の幅の３分の１であり、且つ該受力減少構造の形状は、卵形であり、該卵形の該つま先対応部に近隣する箇所にテーパ端部を有する請求項１に記載の足部安定装置。
【請求項３】
前記受力減少構造は、更に、該踵対応部へ延伸し、該足アーチ対応部の前端まで延伸し、且つ該受力減少構造の幅は、該靴パッド本体の幅の３分の１であり、その形状は、扁長楕円形であり、該扁長円形の端部は、それぞれテーパ端部を有する請求項１に記載の足部安定装置。
【請求項４】
前記受力減少構造の長さは、８．５ｃｍ〜１２ｃｍの間であり、且つその幅は、２．５ｃｍ〜４ｃｍの間である請求項３に記載の足部安定装置。
【請求項５】
更に、前記足アーチ対応部の一側端に位置し、該靴パッド本体の辺縁に沿って設置され、その形状が三日月形であり、使用者の外側足アーチの受力を減少させることに用いられる補助受力減少構造を含む請求項２に記載の足部安定装置。
【請求項６】
更に、前記足アーチ対応部の一側端に位置し、該靴パッド本体の辺縁に沿って設置され、その形状が三日月形であり、使用者の外側足アーチの受力を減少させることに用いられる補助受力減少構造を含む請求項３に記載の足部安定装置。
【請求項７】
前記受力減少構造又は前記補助受力減少構造は、上表面凹陥構造、下表面凹陥構造又は上下表面ともに凹陥構造である請求項１乃至請求項６の何れか一項に記載の足部安定装置。
【請求項８】
前記受力減少構造又は補助受力減少構造は、軟性物質で構成され、該軟性物質の硬度は、該靴パッド本体の硬度より小さい請求項１乃至請求項６の何れか一項に記載の足部安定装置。
【請求項９】
靴底本体であり、該靴底本体は、足底接触面を有し、該足底接触面は、靴底前端から靴底後端まで順につま先対応部、足裏対応部、足アーチ対応部及び踵対応部を有する足部安定装置であって、該足底接触面が受力減少構造を有し、且つ該受力減少構造は、該つま先対応部の後端中央箇所から縦方向に該足裏対応部の中間箇所まで延伸する足部安定装置。
【請求項１０】
前記受力減少構造の幅は、該足底接触面の幅の３分の１であり、且つ該受力減少構造の形状は、卵形であり、該卵形の該つま先対応部に近隣する箇所にテーパ端部を有する請求項９に記載の足部安定装置。
【請求項１１】
前記受力減少構造は、更に、該踵対応部へ延伸し、該足アーチ対応部の前端まで延伸し、且つ該受力減少構造の幅は、該足接触面の幅の３分の１であり、その形状は、扁長楕円形であり、該扁長円形の端部は、それぞれテーパ端部を有する請求項９に記載の足部安定装置。
【請求項１２】
前記受力減少構造の長さは、８．５ｃｍ〜１２ｃｍの間であり、且つその幅は、２．５ｃｍ〜４ｃｍの間である請求項１１に記載の足部安定装置。
【請求項１３】
更に、前記足アーチ対応部の一側端に位置し、該足底接触面の辺縁に沿って設置され、その形状が三日月形であり、使用者の外側足アーチの受力を減少させることに用いられる補助受力減少構造を含む請求項１０に記載の足部安定装置。
【請求項１４】
更に、前記足アーチ対応部の一側端に位置し、該足底接触面の辺縁に沿って設置され、その形状が三日月形であり、使用者の外側足アーチの受力を減少させることに用いられる補助受力減少構造を含む請求項１１に記載の足部安定装置。
【請求項１５】
前記受力減少構造又は前記補助受力減少構造は、上表面凹陥構造である請求項９乃至請求項１４の何れか一項に記載の足部安定装置。
【請求項１６】
前記受力減少構造又は補助受力減少構造は、軟性物質で構成され、該軟性物質の硬度は、該靴底本体の硬度より小さい請求項９乃至請求項１４の何れか一項に記載の足部安定装置。
【請求項１７】
更に、第１平衡凸点を含み、該第１平衡凸点は、該受力減少構造の領域内に位置し、且つ該受力減少構造の対称線上に位置する請求項２に記載の足部安定装置。
【請求項１８】
更に、第２平衡凸点を含み、該第２平衡凸点は、該受力減少構造領域の外側に位置し、該対称線の延長線上に位置する請求項１７に記載の足部安定装置。
【請求項１９】
更に、第１平衡凸点及び第２平衡凸点を含み、該第１平衡凸点及び該第２平衡凸点は、何れも該受力減少構造内に位置し、且つ何れも該受力減少構造の対称線上に位置する請求項３に記載の足部安定装置。
【発明の詳細な説明】
【技術分野】
【０００１】
本発明は、足部安定装置（FOOT STABILIZING DEVICE）に関し、特に、受力減少構造を利用して足部の接触力量を減少させる足部安定装置に関する。
【背景技術】
【０００２】
人体の足部は、２６本の骨と３３個の関節からなり、これら骨と関節の周囲は、更に１００本を超える筋肉、腱、靭帯、血管、神経、皮膚及び軟性組織に覆われている。立っている時も、走っている時も、足部全体の動作の工程は、非常に広大である。
【０００３】
足部は、主に人体の骨格、筋肉の全体の重量を支持する構造として用いられ、且つ人体上の筋肉及び骨格は、相互に交錯作用し、足部構造に問題が出現する時、同時に伴って膝、骨盤に影響を及ぼし、深刻であれば、脊椎も伴って歪みを生じ、更には、骨格構造から臓器の機能へ影響を及ぼす可能性もある。上記問題を解決、回避するため、足部医学は、徐々に重視され始めている。
【０００４】
国際足部医学において、しばしば靴パッドを足部補助具として利用し、矯正し、足部に発生した問題を処理する。しかしながら、既存の補助靴パッドの大部分は、人体の足アーチの三点力学に基づいて設計原理とし、足部の足アーチの横足アーチ、内側足アーチ及び外側足アーチが３点の受力の平衡を達成できるようにしている。既存の靴パッドは様々な設計があるが、３点力学の３つの支持点、即ち、第１中足骨、第５中足骨及び踵箇所に突起又は凹陥の設計を行うか、ヒールカップの設計を用いて足部を覆って安定させたとしても、長時間の歩行後、足部は、依然として筋肉疲労の累積によって足部及び靴パッドの接触位置にずれが生じ、足部が靴パッド上で滑動し、反って足部に不安定な現象を発生させる。
【０００５】
更に、足部の第２指骨及び第２中足骨及び第３指骨及び第３中足骨付近の部分は、一般にその他の中足骨より突出し、靴パッド上のこれに相対する部位が依然として平坦面である場合、歩行時、毎回足パッドと接触する時に足部に前又は左右への滑動を発生し、且つ理想的な歩行状態時の足部安定性を破壊する。
【先行技術文献】
【特許文献】
【０００６】
【特許文献１】特開2015-35995号公報
【発明の概要】
【発明が解決しようとする課題】
【０００７】
本発明は、足部安定装置であり、靴パッド本体又は靴底本体の足部接触面上に受力減少構造を形成し、使用者の足部の受力減少構造に対応する接触力量を減少することができ、且つ足部を安定させ、足部の前又は左右への滑動を回避する。
【課題を解決するための手段】
【０００８】
本発明の足部安定装置は、靴パッド本体であり、靴パッド本体は、靴パッド前端から靴パッド後端まで順につま先対応部、足裏対応部、足アーチ対応部及び踵対応部を有し、その特徴は、靴パッド本体が受力減少構造を有し、且つ受力減少構造は、つま先対応部の後端中央箇所から縦方向に足裏対応部の中間箇所まで延伸する。
【０００９】
本発明が更に提供する足部安定装置は、靴底本体であり、靴底本体は、足底接触面を有し、足底接触面は、靴底前端から靴底後端まで順につま先対応部、足裏対応部、足アーチ対応部及び踵対応部を有し、その特徴は、足底接触面が受力減少構造を有し、且つ受力減少構造は、つま先対応部の後端中央箇所から縦方向に足裏対応部の中間箇所まで延伸する。
【発明の効果】
【００１０】
本発明の実施により、少なくとも以下の効果を達成することができる。
一、足部の位置を安定させ、足部が前又は左右へ滑動することを回避する。
二、使用者の歩行状態を理想の歩行状態に近付ける。
【図面の簡単な説明】
【００１１】
【図１】本発明の実施例の受力減少構造が卵形である足部安定装置の説明図である。
【図２】本発明の実施例のもう１つの受力減少構造が卵形である足部安定装置の説明図である。
【図３】使用者の足部を図１又は図２で示す足部安定装置に置いた説明図である。
【図４】本発明の実施例の受力減少構造が扁長楕円形である足部安定装置の説明図である。
【図５】本発明の実施例のもう１つの受力減少構造が扁長楕円形である足部安定装置の説明図である。
【図６】使用者の足部を図４又は図５で示す足部安定装置に置いた説明図である。
【図７】図４で示す足部安定装置は、補助受力減少構造を更に含む説明図である。
【図８】図５で示す足部安定装置は、補助受力減少構造を更に含む説明図である。
【図９】使用者の足部を図７又は図８で示す足部安定装置に置いた説明図である。
【図１０】本発明の実施例の受力減少構造が下表面凹陥構造である断面説明図である。
【図１１】本発明の実施例の受力減少構造が上下表面ともに凹陥構造凹陥構造である断面説明図である。
【図１２】本発明の実施例の軟性物質で受力減少構造及び補助受力減少構造を構成する足部安定装置の図である。
【図１３】図１２中のＡ−Ａ切断線に沿った断面説明図である。
【図１４】本発明の実施例の軟性物質で受力減少構造及び補助受力減少構造を構成するもう１つの足部安定装置の図である。
【図１５】図１２中のＢ−Ｂ切断線に沿った断面説明図である。
【図１６】本発明の実施例の平衡凸点を更に含む足部安定装置の説明図である。
【図１７】本発明の実施例の平衡凸点を更に含むもう１つの足部安定装置の説明図である。
【発明を実施するための形態】
【００１２】
本発明の技術内容を当業者に理解させ、実施させるため、且つ本明細書の開示内容、特許請求の範囲又は図面に基づき、当業者が本発明の関連の目的及び利点を理解し易くするため、実施方式において、本発明の詳細特徴及び利点を説明する。
【００１３】
図１及び図２に示すように、本実施例は、足部安定装置であり、それは、靴パッド本体１０又は靴底本体１１であることができる。
【００１４】
図１に示すように、靴パッド本体１０の靴パッド前端１２aから靴パッド後端１３aまでは、順につま先対応部２１、足裏対応部２２、足アーチ対応部２３及び踵対応部２４を有する。図２に示すように、靴底本体１１は、足底接触面１１１を有し、靴体は、靴底本体１１輪郭の辺縁に沿って設置し、靴体構造を構築することができ、足底接触面１１１の靴底前端１２ｂから靴底後端１３ｂまでも、順につま先対応部２１足裏対応部２２、足アーチ対応部２３及び踵対応部２４を有する。
【００１５】
図３に示すように、足部は、前足、中足、後足の３つの主要部分に分けることができ、前記のつま先対応部２１及び足裏対応部２２は、使用者の前足に対応し、前足は、５本のつま先指骨、つま先指骨に接続する中足骨から構成され、そのうち指骨は、多くの小骨から構成され、中足骨は、指骨と接続して前足裏を構成する。後足は、７つの踵骨を有し、これら踵骨は靭帯により一つに繋がれ、且つ５本の並列する中足骨と接続し、主に使用者の体重を支持し、身体の平衡を保持する作用に適用される。足部の中足部分は、アーチ構造を有する足アーチから構成され、足アーチは、横方向足アーチ、内側足アーチ及び外側足アーチを含み、これら足アーチは、地面からの反作用力を吸収し、重量を分散し、正常な足部の歩行時の機能を維持することができる。
【００１６】
使用者の足部が靴パッド本体１０又は靴底本体１１に踏み込む時、そのつま先は、つま先対応部２１上にあり、且つ使用者の中足骨は、足裏対応部２２上に位置し、足アーチは、足アーチ対応部２３上に位置し、踵は、踵対応部２４上に位置する。
【００１７】
図１〜図３に示すように、本実施例の特徴は、靴パッド本体１０又は靴底本体１１の接触面上に受力減少構造３０を形成し、且つ受力減少構造３０の位置は、足裏対応部２２上に位置し、つま先対応部２１の後端中央箇所は、縦方向に足裏対応部２２の中間箇所まで延伸する。つま先対応部２１の後端中央箇所は、足部が靴パッド本体１０又は靴底本体１１に踏み込む時、足部第２つま先及び第３つま先の間の位置に対応し、足裏対応部２２の中間箇所は、足部が靴パッド本体１０又は靴底本体１１に踏み込む時、足部第２中足骨及び第３中足骨の位置に対応する。
【００１８】
受力減少構造３０の幅は、靴パッド本体１０又は足底接触面１１１の幅の３分の１であり、即ち、靴パッド本体１０又は足底接触面１１１の横方向に三等分に分けられ、受力減少構造３０は、靴パッド本体１０又は靴底本体１１の横方向の中間箇所に位置する。受力減少構造３０の形状は、卵形であることができ（３つの角が何れも円角である三角形とみることもできる）、且つ卵形のつま先対応部２１に近隣する箇所にテーパ端部３２ａを有し、人体の足底に合わせて中足骨から指骨へ向けて徐々に細くなる形状を指す。受力減少構造３０をつま先対応部２１の後端中央箇所に設置し、縦方向に足裏対応部２２の中間箇所まで延伸することによって、使用者が歩行のペースを落としたり、ペースを上げたりする時、第２中足骨と第３中足骨と靴パッド本体１０及び靴底本体１１との接触面積及び接触力量を減少させ、足部が前又は左右へ滑動する干渉を改善する。
【００１９】
図４〜図６に示すように、受力減少構造３０ａは、更に踵対応部２４へ向けて延伸し、足アーチ対応部２３の前端まで延伸し、その形状を卵形から更に理想的な扁長楕円形に変化させ、受力減少構造３０ａの面積を拡大する。同様に、扁長楕円形の両端にそれぞれテーパ端部３２ｂを有し、且つ受力減少構造３０ａの幅は、靴パッド本体１０又は足底接触面１１１の幅の３分の１である。受力減少構造３０ａの設置によって、使用者の歩行状態を更に安定させ、使用者の足部の第２中足骨及び第３中足骨のつま先向きの位置及び踵向きの位置と受力減少構造３０ａとの間の接触力量を減少させ、歩行時の足部が前向きに滑動する困難を解決する。
【００２０】
卵形（３つの角が何れも円角である三角形とみることもできる）又は扁長楕円形であるかに関わらず、何れも細長の形状であり、足部の骨格の長形の形態に合わせることができ、従来の円形補助構造に比較し、足部を安定させる効果を更に有効に達成できる。
【００２１】
異なる靴パッド本体１０又は靴底本体１１の寸法に合わせ、形状が扁長楕円形である受力減少構造３０の長さは、８．５ｃｍ〜１２ｃｍの間に介するか、又は８．８ｃｍ〜１１．７ｃｍの間に介することができ、且つその幅は、２．５ｃｍ〜４ｃｍの間に介するか、又は２．８ｃｍ〜３．７ｃｍの間に介することができる。
【００２２】
図７〜図９に示すように、使用者の外側足アーチの受力を更に減少するため、靴パッド本体１０又は靴底本体１１の足底接触面１１１上に更に補助受力減少構造３１を含むことができる。補助受力減少構造３１は、足アーチ対応部２３の一側端に位置し、即ち、外側足アーチに相対する位置に設置される。補助受力減少構造３１の形状は、三日月形状であり、且つ靴パッド本体１０又は足底接触面１１１の辺縁に沿って設置され、即ち、三日月形の短い弧辺が辺縁に沿って設置される。図面には全てを示していないが、補助受力減少構造３１は、卵形又は扁長円形の受力減少構造３０、３０ａの何れかと相互に選択的に組み合わさることができる。補助受力減少構造３１は、同様に、使用者の足部外側足アーチと靴パッド本体１０及び靴底本体１１との接触力量を減少し、且つ足部を安定させて足部の左右の揺動を回避することができる。
【００２３】
各図に示すように、前記受力減少構造３０、３０ａ又は補助受力減少構造３１は、上表面凹陥構造であることができ、図１０及び図１１に示すように、足部安定装置が靴パッド本体１０である時、受力減少構造３０ａを例とし、下表面凹陥構造又は上下表面ともに凹陥構造であることもできる。図示していないが、補助受力減少構造３１は、同様に下表面凹陥構造又は上下表面ともに凹陥構造であることもできる。主に受力減少構造３０、３０ａ又は補助受力減少構造３１箇所の靴パッド本体１０の構造強度を減弱し、これにより足部を靴パッド本体１０上に踏み込む時、足部の第２中足骨及び第３中足骨の周囲の接触力量を減少させる。
【００２４】
また、図１２及び図１３に示すように、受力減少構造３０ａ又は補助受力減少構造３１は、軟性物質４０から構成されることができ、且つ軟性物質４０の硬度が靴パッド本体１０又は靴底本体１１の硬度より小さい。例えば、断面図により受力減少構造３０ａ又は補助受力減少構造３１箇所で一部の靴パッド本体１０を除いた後、軟性物質４０を靴パッド本体１０上に充填固定することができる。受力減少構造３０ａを例とするが、受力減少構造３０は、同様に軟性物質から構成されることもでき、構造強度を低減し、接触力量を減少する目的を達成する。
【００２５】
図１４及び図１５に示すように、靴底本体１１上に軟性物質４０を使用し、受力減少構造３０、３０ａ又は補助受力減少構造３１を製造する時、足底接触面１１１上の受力減少構造３０、３０ａ又は補助受力減少構造３１に対応する部分の靴底本体１１を除去するだけでよく、軟性物質４０を靴底本体１１上に充填固定することができる。
【００２６】
図１６に示すように、受力減少構造の形状が卵形である時、足部を受力減少構造３０上に踏み込む安定性を更に向上するため、受力減少構造３０の領域内に更に第１平衡凸点５１を更に設ける。第１平衡凸点５１は、受力減少構造３０の対称線３３上に位置し、該対称線３３は、受力減少構造３０の中心線であり、且つ受力減少構造３０は、対称線３３の左右両側が略対称になる。そのうち、第１平衡凸点５１の高さは、靴パッド本体１０又は靴底本体１１の表面の高さより低く、これにより、使用者の足底と靴パッド本体１０又は靴底本体１１との接触面積及び接触力量を減少すると同時に、第１平衡凸点５１を利用し、使用者の足部を支持、平衡させる目的を達成することができる。
【００２７】
支持及び平衡の効果を更に高めるため、受力減少構造３０の領域外側、並びに足裏対応部２２内に第２平衡凸点５２を増設し、第２平衡凸点５２は、対称線３３の延長線上に位置し、同様に、第２平衡凸点５２の高さも靴パッド本体１０又は靴底本体１１の表面高さより低くなる。
【００２８】
図１７に示すように、受力減少構造３０ａの形状が扁長楕円形である時、受力減少構造３０ａの領域内に第１平衡凸点５１及び第２平衡凸点５２を設置し、且つ第１平衡凸点５１及び第２平衡凸点５２は、何れも受力減少構造３０ａの対称線３３上に位置し、且つ第１平衡凸点５１及び第２平衡凸点５２の高さは、何れも靴パッド本体１０又は靴底本体１１の表面高さより低い。同様に、使用者の足部を支持、平衡させる目的を達成することができる。
【００２９】
本実施例の各実施形態の実施により、使用者の足部と靴パッド本体１０又は靴底本体１１の接触力量を減少し、第２中足骨及び第３中足骨周囲の足部が靴パッド本体１０及び靴底本体１１を摩擦する問題を改善し、足部の安定性を向上することができる。
【００３０】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３１】
１０  靴パッド本体
１１  靴底本体
１１１  足底接触面
１２ａ  靴パッド前端
１２ｂ  靴底前端
１３ａ  靴パッド後端
１３ｂ  靴底後端
２１  つま先対応部
２２  足裏対応部
２３  足アーチ対応部
２４  踵対応部
３０，３０ａ  受力減少構造
３１  補助受力減少構造
３２ａ，３２ｂ  テーパ端部
３３  対称線
４０  軟性物質
５１  第１平衡凸点
５２  第２平衡凸点
【図１】
2017131656.tif 000003
【図２】
2017131656.tif 000004
【図３】
2017131656.tif 000005
【図４】
2017131656.tif 000006
【図５】
2017131656.tif 000007
【図６】
2017131656.tif 000008
【図７】
2017131656.tif 000009
【図８】
2017131656.tif 000010
【図９】
2017131656.tif 000011
【図１０】
2017131656.tif 000012
【図１１】
2017131656.tif 000013
【図１２】
2017131656.tif 000014
【図１３】
2017131656.tif 000015
【図１４】
2017131656.tif 000016
【図１５】
2017131656.tif 000017
【図１６】
2017131656.tif 000018
【図１７】
2017131656.tif 000019